【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
シーンのワイドビューに対応する符号化メディアデータをサーバによってカプセル化するための方法であって、
トラックにカプセル化される符号化メディアデータを取得することと、
所与のトラックを単独で表示しないことをシグナリングする情報を取得することと、
前記符号化メディアデータおよび前記情報を１つまたは複数のメディアファイルにカプセル化することを含む、方法。
【請求項２】
請求項１に記載の方法であって、前記情報は、前記所与のトラックがクライアントによって選択された第１のトラックであることができないことをシグナリングする、方法。
【請求項３】
請求項１に記載の方法であって、前記データは、前記所与のトラックにカプセル化されていない符号化メディアデータである、方法。
【請求項４】
請求項１から３のいずれか１項に記載の方法であって、前記所与のトラックは、ボックスの階層構造に基づいて編成されたメタデータを含むヘッダを含み、前記情報は、前記ヘッダのボックスにおけるパラメータの値によって提供される、方法。
【請求項５】
請求項１に記載の方法であって、前記メディアデータは前記所与のトラックが関連付けられる少なくとも１つの他のトラックの符号化データであり、前記情報は、前記少なくとも１つの他のトラックを示す、方法。
【請求項６】
シーンのワイドビューに対応する符号化メディアデータを含むメディアファイルをクライアントによって構文解析するための方法であって、
前記符号化メディアデータを前記メディアファイルにカプセル化する少なくとも１つのトラックを識別することと、
前記メディアファイルから、所与のトラックにカプセル化された前記符号化メディアデータを提示するためのデータの必要性に関する情報を取得することと、
前記取得された情報に従って前記所与のトラックの前記符号化メディアデータを復号する、方法。 
【請求項７】
請求項６に記載の方法であって、前記情報は、前記所与のトラックが前記クライアントによって選択された第１のトラックであることができないことをシグナリングする、方法。
【請求項８】
シーンのワイドビューの投影に対応する符号化メディアデータをサーバによってカプセル化するための方法であって、
前記符号化データをトラックにカプセル化することと、
各トラックに対する記述メタデータを生成することであって、前記記述メタデータはトラックに関連するトラックコンテナに編成されている、ことを含み、
前記生成することは、さらに、
第１のトラックにカプセル化された符号化データと、第１のトラックコンテナの第１のボックスに定義された共通セットに属する１つまたは複数のトラックにカプセル化された符号化データとによって表される前記ワイドビューのカバレージを示す情報を含む第１の構造を提供することを含む、方法。 
【請求項９】
請求項８に記載の方法であって、前記第１の構造の前記情報は、前記第１のボックスにおいて提供される、方法。
【請求項１０】
請求項８に記載の方法であって、前記セットは、ISOBMFF 14496-12によって定義される'track group'である、方法。
【請求項１１】
請求項１０に記載の方法であって、前記第１のボックスは、ISOBMFF 14496-12によって定義される'track group'ボックスである、方法。
【請求項１２】
請求項８から１１のいずれか１項に記載の方法であって、前記トラックに関する記述メタデータのみを含む基準トラックが生成されるかどうかをテストすることをさらに含み、
前記生成することは、さらに、
基準トラックが生成される場合に、フルワイドビューのカバレージを示すための基準情報を含む前記第１の構造を提供することと、
そうでない場合に、前記トラックにカプセル化された符号化データと、第１のコンテナの第１のボックスに定義された共通セットに属する１つまたは複数のトラックにカプセル化された符号化データとによって表されるワイドビューのカバレージを示すための前記情報を含む前記第１の構造を提供することをさらに含む、方法。
【請求項１３】
シーンのワイドビューの投影に対応する符号化メディアデータに対応するメディアファイルをクライアントによって構文解析するための方法であって、
前記メディアファイルから、前記符号化データをカプセル化するトラックを取得することと、
各トラックから記述メタデータを取得することであって、前記記述メタデータはトラックに関連するトラックコンテナに編成される、ことを含み、
記述メタデータを取得することは、さらに
第１のトラックにカプセル化された符号化データと、第１のトラックコンテナの第１のボックスに定義された共通セットに属する１つ以上のトラックにカプセル化された符号化データとによって表されるワイドビューのカバレージを示す情報を含む第１の構造を取得することを含む、方法。
【請求項１４】
請求項１から１３のいずれか１項に記載の方法であって、前記符号化データまたは符号化ビデオデータは、符号化された全方向性データまたは符号化された全方向性ビデオデータである、方法。
【請求項１５】
コンピュータまたはプロセッサによって実行されると、コンピュータまたはプロセッサに請求項１から１４のいずれか１項に記載の方法を実行させるプログラム。
【請求項１６】
請求項１５に記載のプログラムを記憶するコンピュータ可読記憶媒体。
【請求項１７】
シーンのワイドビューに対応する符号化メディアデータをサーバによってカプセル化するための装置であって、前記装置はプロセッサを備え、前記プロセッサは、
トラックにカプセル化される符号化メディアデータを取得し、
所与のトラックを単独で表示しないことをシグナリングする情報を取得し、
前記符号化メディアデータおよび前記情報を１つまたは複数のメディアファイルにカプセル化する、ように構成される、装置。
【請求項１８】
シーンのワイドビューの投影に対応する符号化メディアデータをサーバによってカプセル化するための装置であって、前記装置はプロセッサを備え、前記プロセッサは、
前記符号化データをトラックにカプセル化し、
各トラックに対する記述メタデータを取得し、ここで、前記記述メタデータはトラックに関連するトラックコンテナに編成され、
第１のトラックにカプセル化された符号化データと、第１のトラックコンテナの第１のボックスに定義された共通セットに属する１つ以上のトラックにカプセル化された符号化データとによって表されるワイドビューのカバレージを示す情報を含む第１の構造を提供する、ように構成される、装置。
【請求項１９】
シーンのワイドビューの投影に対応する符号化メディアデータに対応するメディアファイルをクライアントによって構文解析するための装置であって、前記装置はプロセッサを備え、前記プロセッサは、
前記メディアファイルからトラックを取得し、
各トラックから記述メタデータを取得し、ここで、前記記述メタデータはトラックに関連するトラックコンテナに編成され、
第１のトラックにカプセル化された符号化データと、第１のトラックコンテナの第１のボックスに定義された共通セットに属する１つ以上のトラックにカプセル化された符号化データとによって表されるワイドビューのカバレージを示す情報を含む第１の構造を取得する、ように構成される、装置。
【請求項２０】
請求項１７から１９のいずれか１項に記載の装置であって、前記符号化データまたは符号化ビデオデータは、符号化された全方向性データまたは符号化された全方向性ビデオデータである、装置。